(57)【要約】
【課題】　ローラー調整装置を具えたクリーナーの提供。
【解決手段】　主体上蓋、主体ベース、及びローラー調整装置を具え、該ローラー調整装置は押圧機構、制動機構とローラーを具え、該押圧機構に被係止部が設けられて、制動機構に被係止部を係止する係止部が設けられ、該ローラーが輪軸に組み付けられ、押圧機構を押圧することにより押圧機構が輪軸を押圧して押圧機構の被係止部と制動機構の係止部が係合し、これによりローラー調整装置がクリーナーを持ち上げ、該制動機構を押圧することにより、押圧機構の係止部と制動機構の被係止部が分離し、クリナーが下降して元の状態に回復する。
【選択図】　　　　図１
0003099617.tif 000002
【実用新案登録請求の範囲】
【請求項１】
　ローラー調整装置を具えたクリーナーにおいて、
　被係止部を具えた押圧機構と、
　該被係止部と係合可能な係止部を具ると共に、弾性手段が設置された制動機構と、
　輪軸に組み付けられたローラーと、
　を具え、該押圧機構に対する押圧操作により押圧機構が輪軸を押圧して押圧機構の被係止部と制動機構の係止部が係合させられることにより、ローラー調整装置がクリーナーを持ち上げ、該制動機構に対する押圧操作により、制動機構の係止部と押圧機構の被係止部が分離し、クリーナーがもとの状態に下降することを特徴とする、ローラー調整装置を具えたクリーナー。
【請求項２】
　請求項１に記載のローラー調整装置を具えたクリーナーにおいて、押圧機構にジャンプゲートとジャンプゲートホルダが設けられ、該ジャンプゲートの一端にプッシュロッドが設けられ、該ジャンプゲートホルダがクリーナーに固定され、且つジャンプゲートとジャンプゲートホルダが相互に枢接されたことを特徴とする、ローラー調整装置を具えたクリーナー。
【請求項３】
　請求項２に記載のローラー調整装置を具えたクリーナーにおいて、プッシュロッドの末端にシールカバーが設けられたことを特徴とする、ローラー調整装置を具えたクリーナー。
【請求項４】
　請求項１に記載のローラー調整装置を具えたクリーナーにおいて、制動機構がジャンプゲートスイッチとスイッチ滑り溝を具え、該スイッチ滑り溝に滑り溝が開設されて、ジャンプゲートスイッチが滑り溝に沿ってスライド自在とされたことを特徴とする、ローラー調整装置を具えたクリーナー。
【請求項５】
　請求項１に記載のローラー調整装置を具えたクリーナーにおいて、クリーナーの下側に前輪が設置されたことを特徴とする、ローラー調整装置を具えたクリーナー。
【考案の詳細な説明】
【技術分野】
【０００１】
　本考案は一種のローラー調整装置を具えたクリーナーに係り、該クリーナーは主体上蓋、主体ベース、及びローラー調整装置を具え、該ローラー調整装置が押圧機構、制動機構とローラーを具え、押圧機構が押圧されることにより押圧機構が輪軸を押圧して押圧機構の被係止部と制動機構の係止部を係合させ、これによりローラー調整装置がクリーナーを持ち上げ、該制動機構が押圧されることにより、押圧機構の係止部と制動機構の被係止部が分離し、クリナーが元の状態に下降する、ローラー調整装置を具えたクリーナーに関する。
【背景技術】
【０００２】
　伝統的なモップは、有効な殺菌或いは清掃機能を達成できない場合が多く、この欠点を改善し、快速清掃或いは殺菌の機能を達成するものとして、蒸気洗浄式或いは水洗方式のクリーナーが出現している。
【０００３】
　一般のクリーナーの多くには、ローラーが設置されるが、このローラーは固定式とされ、即ちクリーナーの下側に固定されており、クリーナーと地面の間の清掃距離を改変することができず、クリーナーが異なる面、例えば絨毯のような毛足の長い面に対する清掃を行う場合には、クリーナーが地面との距離を改変できないため、クリーナーを滑らすのが難しく、有効に清掃エリアを清掃できず、クリーナーの清掃機能が減少する。
【考案の開示】
【考案が解決しようとする課題】
【０００４】
　本考案の主要な目的は、異なる清掃面に適用可能で且つローラー調整装置を快速操作できるクリーナーを提供することにある。
【課題を解決するための手段】
【０００５】
　請求項１の考案は、ローラー調整装置を具えたクリーナーにおいて、
　被係止部を具えた押圧機構と、
　該被係止部と係合可能な係止部を具ると共に、弾性手段が設置された制動機構と、
　輪軸に組み付けられたローラーと、
　を具え、該押圧機構に対する押圧操作により押圧機構が輪軸を押圧して押圧機構の被係止部と制動機構の係止部が係合させられることにより、ローラー調整装置がクリーナーを持ち上げ、該制動機構に対する押圧操作により、制動機構の係止部と押圧機構の被係止部が分離し、クリーナーがもとの状態に下降することを特徴とする、ローラー調整装置を具えたクリーナーとしている。
【０００６】
　請求項２の考案は、請求項１に記載のローラー調整装置を具えたクリーナーにおいて、押圧機構にジャンプゲートとジャンプゲートホルダが設けられ、該ジャンプゲートの一端にプッシュロッドが設けられ、該ジャンプゲートホルダがクリーナーに固定され、且つジャンプゲートとジャンプゲートホルダが相互に枢接されたことを特徴とする、ローラー調整装置を具えたクリーナーとしている。
【０００７】
　請求項３の考案は、請求項２に記載のローラー調整装置を具えたクリーナーにおいて、プッシュロッドの末端にシールカバーが設けられたことを特徴とする、ローラー調整装置を具えたクリーナーとしている。
【０００８】
　請求項４の考案は、請求項１に記載のローラー調整装置を具えたクリーナーにおいて、制動機構がジャンプゲートスイッチとスイッチ滑り溝を具え、該スイッチ滑り溝に滑り溝が開設されて、ジャンプゲートスイッチが滑り溝に沿ってスライド自在とされたことを特徴とする、ローラー調整装置を具えたクリーナーとしている。
【０００９】
　請求項５の考案は、請求項１に記載のローラー調整装置を具えたクリーナーにおいて、クリーナーの下側に前輪が設置されたことを特徴とする、ローラー調整装置を具えたクリーナーとしている。
【考案の効果】
【００１０】
　本考案は、異なる清掃面に適用可能で且つローラー調整装置を快速操作できるクリーナーを提供している。
【考案を実施するための最良の形態】
【００１１】
　本発明は一種のローラー調整装置を具えたクリーナーを提供する。
【実施例１】
【００１２】
図１、２に示されるように、該クリーナー２は、主体上蓋２１、主体ベース２２、及びローラー調整装置１を具え、該ローラー調整装置１は押圧機構３、制動機構４とローラー１５を具え、該押圧機構３にジャンプゲート１１とジャンプゲートホルダ１２を具え、制動機構４はジャンプゲートスイッチ１３とスイッチ滑り溝１４を具え、且つ該制動機構４に弾性手段が設置され、該弾性手段がスイッチバネ１６とされる。
【００１３】
　ジャンプゲート１１の一側にプッシュロッド１１１が設けられ、該プッシュロッド１１１の下部に被係止部１１２が設けられ、該ジャンプゲート１１の別の一側に貫通孔１１３が設けられ、ジャンプゲートホルダ１２に貫通孔１２１が設けられ、ジャンプゲートホルダ１２の下部に支持板１２２が設けられ、該支持板１２２に貫通孔１２２ａが開設されている。ジャンプゲートスイッチ１３の一端にスイッチ１３１が設けられ、別の一端に係止部１３２が設けられ、該スイッチ１３１の近傍に止圧部１３３が設けられている。スイッチ滑り溝１４の上端に貫通孔１４１が設けられ、該スイッチ滑り溝１４の一側には被押圧部１４２が設けられ、該被押圧部１４２の四周が平板とされ中間が長条状中空部とされ、該スイッチ滑り溝１４の下に滑り溝１４３が設けられて、ジャンプゲートスイッチ１３が該滑り溝１４３をスライドするものとされる。ローラー１５の一側の中心にネジ孔１５１が開設されている。
【００１４】
　主体上蓋２１の左右両側下方にローラー溝２１１が開設され、該主体上蓋２１の後側に方形孔２１２と円形孔２１３が開設されている。主体ベース２２の下に前輪２２１が設けられる。
【００１５】
　ネジ部品１２１ａがジャンプゲートホルダ１２の貫通孔１２１に通され、並びに主体上蓋２１にねじ込まれ、これによりジャンプゲートホルダ１２が主体上蓋２１に固定される。リベット１１４がそれぞれジャンプゲートホルダ１２の支持板１２２の貫通孔１２２ａとジャンプゲート１１の貫通孔１１３にそれぞれ通され、これによりジャンプゲート１１とジャンプゲートホルダ１２が相互に枢接され、並びにジャンプゲート１１がジャンプゲートホルダ１２の支持板１２２の貫通孔１２２ａを中心として回転自在とされる。該ジャンプゲート１１のプッシュロッド１１１は主体上蓋２１後側の方形孔２１２より突出し、並びにプッシュロッド１１１の末端にシールカバー１１５が連接されて、使用者の加圧操作に便利とされている。
【００１６】
　ネジ部品１４１ａがスイッチ滑り溝１４の貫通孔１４１に通され、並びに主体上蓋２１にねじ込まれて、スイッチ滑り溝１４が主体上蓋２１に固定される。ジャンプゲートスイッチ１３がスイッチ滑り溝１４の滑り溝１４３中に置かれ、且つジャンプゲートスイッチ１３のスイッチ１３１が主体上蓋２１の円形孔２１３より突出させられる。スイッチバネ１６がジャンプゲートスイッチ１３の止圧部１３３とスイッチ滑り溝１４の被押圧部１４２の間に置かれる。
【００１７】
　輪軸１５２の両端にはネジ山１５２ａが設けられ、輪軸１５２のネジ山１５２ａがローラー１５のネジ孔１５１にねじ込まれ、これにより輪軸１５２がローラー１５に組み付けられる。図３に示されるように、ローラー１５は主体上蓋２１のローラー溝２１１中に置かれ、並びに主体上蓋２１と主体ベース２２が固定され一体とされる。
【００１８】
　図４、５、６に示されるように、シールカバー１１５が押圧される時、ジャンプゲート１１のプッシュロッド１１１が輪軸１５２を押圧し、ジャンプゲート１１がジャンプゲートホルダ１２の支持板１２２の貫通孔１２２ａを中心として回転自在であるため、シールカバー１１５の押圧によりプッシュロッド１１１が下降し並びに輪軸１５２を押圧することにより、主体上蓋２１と主体ベース２２もまた上昇する。且つプッシュロッド１１１の被係止部１１２がジャンプゲートスイッチ１３の係止部１３２に接触する時、被係止部１１２の下圧力によりジャンプゲートスイッチ１３がスイッチ滑り溝１４の滑り溝１４３中で前方にスライドし、これにより、ジャンプゲートスイッチ１３とスイッチ滑り溝１４の間に置かれたスイッチバネ１６が前方にスイッチ滑り溝１４の被押圧部１４２に対して加圧し、スイッチバネ１６を変形させ、係止部１３２が被係止部１１２に係合させられ、並びにローラー１５の輪縁が主体ベース２２より突出し、主体上蓋２１と主体ベース２２が上昇位置で位置決めされる。
【００１９】
　スイッチ１３１が押圧される時、ジャンプゲートスイッチ１３がスイッチ滑り溝１４の滑り溝１４３中で前方にスライドして係止部１３２を連動させて前向きに移動させ、ゆえに被係止部１１２と係止部１３２が分離する。また被係止部１１２と係止部１３２の分離後、プッシュロッド１１１がジャンプゲートホルダ１２の支持板１２２の貫通孔１２２ａを中心として回転自在であるため、主体上蓋２１と主体ベース２２が自身の重力により元の状態へと下降し、ローラー１５の輪縁が主体ベース２２に平行となる。且つスイッチバネ１６がジャンプゲートスイッチ１３の止圧部１３３の押圧を受けることにより、スイッチ１３１に対する押圧が停止すると、スイッチバネ１６の回復弾性により、ジャンプゲートスイッチ１３が後方にスライドし、もとの状態に回復する。
【００２０】
　本考案はてこの原理を利用して操作され、主体上蓋２１と主体ベース２２が簡単に持ち上げられる。クリーナー２を柔軟度の高い或いは毛足の長い被清掃面、例えば絨毯に使用される時、従来の技術は前進させにくいという欠点があったが、本考案は、シールカバー１１５を介してプッシュロッド１１１を押圧することにより、被係止部１１２が係止部１３２に係止され、主体上蓋２１と主体ベース２２が上昇し、ローラー１５の輪縁が主体ベース２２より突出し、クリーナー２の下に比較的高い清掃空間が形成され、被清掃面の清掃に不利な因子を克服し、クリーナー２による清掃を順調に行える。クリーナー２を一般の被清掃面に使用する時、制動機構４を介して被係止部１１２を係止解除すると、主体上蓋２１と主体ベース２２がそれ自身の重量で下降し、並びにローラー１５の輪縁が主体ベース２２に平行となり、クリーナー２の主体ベース２２の前輪２２１とローラー１５の形成する一般清掃空間を利用し、一般の被清掃面に対して清掃を行うことができる。ゆえに異なる条件の被清掃面に使用する時、ローラー調整装置１を透過してクリーナー２の下面と地面との間の高度を快速に簡単に改変でき、清掃の効果を増加できる。
【００２１】
　総合すると、本考案の提供するローラー調整装置を具えたクリーナーは、実用新案登録の要件を具備している。なお、以上の説明は本考案の実施範囲を限定するものではなく、本考案に基づきなしうる細部の修飾或いは改変は、いずれも本考案の請求範囲に属するものとする。
【図面の簡単な説明】
【００２２】
【図１】本考案の立体分解図である。
【図２】本考案の組合せ後の背面図である。
【図３】本考案の組合せ後の立体図である。
【図４】本考案の押圧機構押圧操作時の動作表示断面図であり、４Ａ部分に制動機構の拡大断面を共に表示している。
【図５】本考案の係止部と被係止部の係合を示す断面図であり、５Ａ部分に係止部と被係止部の係合状態を拡大断面表示している。
【図６】本考案の係止部と被係止部の分離を示す断面図であり、６Ａ部分に係止部と被係止部の分離状態を拡大断面表示している。
【符号の説明】
【００２３】
　１　ローラー調整装置
　１１　ジャンプゲート
　１１１　プッシュロッド　　　
　１１２　被係止部
　１１３　貫通孔　　　　　　　
　１１４　リベット
　１１５　シールカバー　　　　
　１２　ジャンプゲートホルダ
　１２１　貫通孔　　　　　　　
　１２１ａ　ネジ部品
　１２２　支持板　　　　　　　
　１２２ａ　貫通孔
　１３　ジャンプゲートスイッチ
　１３１　スイッチ
　１３２　係止部　　　　　　　
　１３３　止圧部
　１４　スイッチ滑り溝　　　　
　１４１　貫通孔
　１４１ａ　ネジ部品　　　　　
　１４２　被押圧部
　１４３　滑り溝　　　　　　　
　１５　ローラー
　１５１　ネジ孔　　　　　　　
　１５２　輪軸
　１５２ａ　ネジ山　　　　　　
　１６　スイッチバネ
　２　クリーナー　　　　　　　
　２１　主体上蓋
　２１１　ローラー溝　　　　　
　２１２　方形孔
　２１３　円形孔　　　　　　　
　２２　主体ベース
　２２１　前輪　　　　　　　　
　３　押圧機構
　４　制動機構
【図１】
0003099617.tif 000003
【図２】
0003099617.tif 000004
【図３】
0003099617.tif 000005
【図４】
0003099617.tif 000006
【図５】
0003099617.tif 000007
【図６】
0003099617.tif 000008